(57)【要約】      （修正有）【課題】積層状態の集合体から１個を取り出すのが非常に容易な形態のコーヒーフィルタを提供する。【解決手段】濾過機能を持つシート状材料から成り、平坦な底部と、底部の周縁から起立する周壁部とを有し、周壁部の上縁部に、適宜間隔を置いて２箇所に切欠４を形成し、該切欠の間を摘み部３とする。摘み部は、両側に切欠が有るため容易に撓み、隣接するコーヒーフィルタの摘み部から剥離し易い。それ故、この剥離させた摘み部を掴んで引っ張れば、１個のコーヒーフィルタを簡単に取り出せる。切欠によって摘み部を設けるから、余分のフィルタ材料を必要とせず、製造コストを抑えられる。摘み部を必要十分な大きさに設定できるから、掴むのが簡単になると共に、引っ張り強度を確保できる。【選択図】図２
0003172889.tif 000002
【実用新案登録請求の範囲】
【請求項１】
濾過機能を持つシート状材料から成るコーヒーフィルタであって、
平坦な底部と、底部の周縁から起立する周壁部とを有し、
前記周壁部の上縁部に、適宜間隔を置いて２箇所に切欠を形成し、
該切欠の間を摘み部としたことを特徴とする
コーヒーフィルタ。
【請求項２】
前記周壁部は、山折りと谷折りとを交互に繰り返して形成したプリーツを有するものであって、
前記周壁部にプリーツが形成されない領域を設け、
当該領域における上縁部に適宜間隔を置いて２箇所に切欠を形成することにより摘み部を設けたことを特徴とする請求項１に記載のコーヒーフィルタ。
【請求項３】
前記摘み部を、平面視した状態の周壁部におけるほぼ対称な２箇所に形成したことを特徴とする請求項１又は２に記載するコーヒーフィルタ。
【請求項４】
前記底部を長円形とし、当該長円形の底部における長手方向のほぼ中央領域から起立する部分の周壁部における上縁部に摘み部を形成したことを特徴とする請求項１〜３のいずれか１項に記載するコーヒーフィルタ。
【請求項５】
請求項１〜４のいずれかに記載するコーヒーフィルタを複数積層して成るコーヒーフィルタ集合体。
【考案の詳細な説明】
【技術分野】
【０００１】
本考案は、ドリップ方式によりコーヒーを抽出するのに用いるコーヒーフィルタの改良に関する。
【背景技術】
【０００２】
普通、ドリップ方式でコーヒーを淹れるには、ドリッパー内に、コーヒーフィルタを装着し、その中にミル等で挽いて調製したコーヒー粉末を投入した後、その上から熱湯を注いでコーヒーを抽出するというのが一般的な手法である。
【０００３】
このような、ドリップ式コーヒー抽出に用いるコーヒーフィルタの一例として、特許文献１に記載のものがある。同文献１に記載のコーヒーフィルタは、円形の紙の中央領域を底部とし、その周囲に多数の折り目を放射状に設け、この折り目に沿って山折り・谷折りを繰り返してジグザグに折り曲げることにより、平坦な底部と多数のプリーツが設けられた周壁部とから成る受皿状に形成したものである。
【０００４】
上記コーヒーフィルタは、保管・搬送の作業効率を考慮して、多数を密接させ積層した状態で取り扱われることが多いとされている。しかるに、比較的厚みの薄い素材から成るコーヒーフィルタは、密接状態に積層すると、分離しにくくなり、使用に当たり個別に取り出す作業が難しくなるという欠点があった。
【０００５】
そこで特許文献１にあっては、コーヒーフィルタの外縁部に、少なくとも１個の把持片を突設することが提案されている。かかる構成により、多数を積層した状態のコーヒーフィルタ集合体から１個ずつ取り出すのが容易になるという、作業性改善の効果が得られるとされている。
【先行技術文献】
【特許文献】
【０００６】
【特許文献１】実開平２−１１６２２１号公報
【考案の概要】
【考案が解決しようとする課題】
【０００７】
前記特許文献１に記載のコーヒーフィルタは、積層状態から取り出すための把持部を、外縁部から外側へ突出させるように設けている。このため、把持部を形成する分だけフィルター材料を多く必要とするので、製造コストが増大するという問題を生じさせる。しかも、この問題は、把持部の形成数を増やすほど、顕著になる。
【０００８】
また、外縁部に突設する把持部は、幅をあまり小さくすると、使用者が掴みにくくなるばかりでなく、引きちぎられ易くなる。そこで、掴み易さと引っ張り強度とを向上させるため、把持部の幅を十分に広くすることが考えられるが、この場合は、製造コストの一層の増大を招くという不具合をもたらす。
【課題を解決するための手段】
【０００９】
前記従来の問題を解決するために本考案が採用したコーヒーフィルタの特徴とするところは、請求項１に記載する如く、濾過機能を持つシート状材料から成り、平坦な底部と、底部の周縁から起立する周壁部とを有し、前記周壁部の上縁部に、適宜間隔を置いて２箇所に切欠を形成し、該切欠の間を摘み部としたことである。
【００１０】
前記コーヒーフィルタにおいて、濾過機能を持つシート状材料とは、ドリップ用のコーヒーフィルタとして従来広く使用されている紙のほか、不織布なども使用可能である。コーヒーフィルタの底部と該底部の周縁から起立する周壁部とは、１枚の紙を折り曲げて一体形成するのが一般的な手法であるが、別個に作製した底部と周壁部とを貼り合わせて一体化することも妨げない。底部の平面形状は、使用するドリッパーの形態に合わせて決定すればよく、円形・楕円形・長円形のほか、正方形・長方形とすることも考えられる。周壁部は、通常、上縁部の開口面積が底部の平面積に比べて大きく設定され、全体として上方に拡開する形態に形成される。なお周壁部は、プリーツを形成してもしなくてもよい。
【００１１】
周壁部の上縁部に摘み部を設けるために形成する２つの切欠の間隔は、コーヒーフィルタの大きさに応じて適宜設定されるが、掴み易さを考慮すると、摘み部の幅寸法が２０〜４０ｍｍの範囲となるように設定するのが好ましい。また切欠の深さは、小さすぎると、摘み部を掴みにくくなり、大きく過ぎると、コーヒー抽出時の貯湯水位を十分に確保できなくなる。このような観点から、切欠の深さは５〜２０ｍｍの範囲に設定するのが好ましい。
【００１２】
請求項２に記載の如く、前記周壁部が山折りと谷折りとを交互に繰り返して形成したプリーツを有するものである場合は、前記周壁部にプリーツが形成されない領域を設け、当該領域における上縁部に適宜間隔を置いて２箇所に切欠を形成することにより、摘み部を設けるとよい。
【００１３】
また前記摘み部については、請求項３に記載の如く、平面視した状態の周壁部におけるほぼ対称な２箇所に形成してもよい。
【００１４】
さらに請求項４に記載の如く、前記底部を長円形とした場合は、当該長円形の底部における長手方向のほぼ中央領域から起立する部分の周壁部における上縁部に、摘み部を形成することができる。
【００１５】
なお本考案に係るコーヒーフィルタは、単独で取り扱うことも妨げないが、請求項５に記載の如く、複数個を積層したコーヒーフィルタ集合体とするのが、取引上、効率的と考えられる。
【考案の効果】
【００１６】
請求項１に記載した本考案によれば、多数のコーヒーフィルタを密接させて積層した状態のコーヒーフィルタ集合体から、１個のコーヒーフィルタを取り出すのが非常に容易である。本考案に係るコーヒーフィルタは、周壁部の上縁部に適宜間隔を置いて２箇所に切欠を形成し、該切欠の間が摘み部となっている。すなわち、摘み部の両側に切欠が有るため、周壁部の他の部分に対し、摘み部だけを独立して揺動させることが可能である。従って、積層状態のコーヒーフィルタ集合体に対し、その最上位に位置するコーヒーフィルタの摘み部に、例えば指先で内方への力を作用させると、当該摘み部が容易に撓んで、隣接するコーヒーフィルタの摘み部から剥離する。それ故、この剥離させた摘み部を掴んで引っ張れば、最上位のコーヒーフィルタだけを簡単に取り出すことができる。
【００１７】
また本考案では、コーヒーフィルタの周壁部に切欠を形成することにより摘み部を設けているから、摘み部を設けるのに余分のフィルタ材料を必要としない。よって、製造コストの増大を抑えられる。また、摘み部の面積を必要十分な大きさに設定するのが容易であるから、使用者が摘み部を掴むのが簡単になると共に、引っ張り強度を確保できる。
【００１８】
なお本考案のコーヒーフィルタは、平坦な底部を有するものとしたが、これにより、注いだ湯がフィルタ底面に沿って広がるから、コーヒー粉と湯との馴染みが促進される。また、ドリッパーの底部とコーヒーフィルタ底部との間に隙間が形成されるので、抽出したコーヒーがドリッパー内に停留せず速やかに滴下し、その結果、雑味の抽出が抑制され、味の均一化を図れるという利点が得られる。
【００１９】
請求項２に記載の本考案は、周壁部にプリーツを形成したコーヒーフィルタを対象とする。プリーツは、通常、底部から外周縁（上縁部）へ向かって放射状に設けた折り目に沿って、交互に山折り・谷折りを繰り返すことにより形成される。そして本考案では、周壁部の一部にプリーツを形成しない領域を設け、この領域に摘み部を形成した。もし仮に、プリーツ形成領域に摘み部を設けた場合、摘み部の途中に折り目を含むこととなるので、摘み部が変形しにくくなる。このため、積層状態のコーヒーフィルタにおいて、最上位の摘み部１枚だけを、隣接する摘み部から引き剥がすのが難しくなる。これに対し、プリーツの非形成領域に摘み部を設ければ、摘み部を撓ませるのが容易であるから、積層状態のコーヒーフィルタから１個だけ取り出す作業を、何の支障もなく行える。
【００２０】
また、請求項２に係るコーヒーフィルタにあっては、摘み部と、その両側のプリーツ部分との間に、段差が設けられることになる。このため、積層状態のコーヒーフィルタにおいて、摘み部が視覚的に強調されるから、取り出し作業を行いやすくなる。
【００２１】
なお、周壁部にプリーツを形成したコーヒーフィルタは、ドリッパーとフィルタ周壁部との接触面積が小さいから、抽出したコーヒーがドリッパー内に停留しにくくなり、雑味成分の混入を抑制する利点がある。
【００２２】
前記摘み部については、請求項３に記載の如く、平面視した状態の周壁部におけるほぼ対称な２箇所に形成することにより、コーヒー抽出が完了したあとで、コーヒーフィルタをドリッパーから取り出すのが容易になる。
【００２３】
請求項４は、底部を長円形としたコーヒーフィルタが対象である。このコーヒーフィルタは、底部形状を長円形や楕円形としたドリッパーに使用する場合を想定している。当該コーヒーフィルタにおける周壁部のうち、長円形の長手方向の中央に位置する直線状の領域が、使用者が掴み易い領域である。そこで、底部を長円形としたコーヒーフィルタにあっては、摘み部を、周壁部における上記直線部分に形成することにより、積層状態のコーヒーフィルタから１個を取り出す作業や、コーヒー抽出を完了した使用済みフィルターをドリッパーから取り去る作業等が容易になる。
【００２４】
コーヒーフィルタの底部を長円形とする場合において、周壁部にプリーツを形成するときは、周壁部の直線部分の領域にはプリーツを設けず、摘み部を形成するとよい。他方、プリーツは、長円形における湾曲部分に形成するとよい。なお、底部を長円形にする場合と長方形にする場合とを比べると、長円形とした方が、底部位置における各プリーツどうしの間隔にゆとりを与えることが出来るので、積層状態から分離し易い形態となる。
【００２５】
なお本考案に係るコーヒーフィルタは、請求項５に記載の如く、複数個を積層したコーヒーフィルタ集合体とすることにより、保管・搬送等の取り扱いが効率的になる
【図面の簡単な説明】
【００２６】
【図１】本考案の第１の実施形態に関するものであって、図（Ａ）は、コーヒーフィルタの製作に用いるシート状材料の一例を示す平面図、図（Ｂ）は、同シート状材料の摘み部を拡大して示す平面図である。
【図２】本考案の第１の実施形態に関するものであって、図１に示すシート状材料から製作したコーヒーフィルタを示すものであり、図（Ａ）は平面図、図（Ｂ）は正面図である。
【図３】本考案の第１の実施形態に関するものであって、図２に示すコーヒーフィルタの斜視図である。
【図４】本考案の第１の実施形態に関するものであって、図（Ａ）は、複数のコーヒーフィルタを積層した集合体の平面図、図（Ｂ）は同コーヒーフィルタ集合体の正面図である。
【図５】本考案の第１の実施形態に関するものであって、積層状態のコーヒーフィルタ集合体からコーヒーフィルタを１個だけ取り出す要領を説明するための摘み部を拡大して示す斜視図である。
【図６】本考案の第２の実施形態に関するものであって、図（Ａ）は、シート状材料の平面図、図（Ｂ）は、同図（Ａ）に示すシート状材料から製作したコーヒーフィルタの平面図である。
【図７】本考案の第３の実施形態に関するものであって、図（Ａ）はコーヒーフィルタの平面図、図（Ｂ）は同コーヒーフィルタの正面図である。
【考案を実施するための形態】
【００２７】
［第１の実施形態］
本考案に係るコーヒーフィルタは、例えば図１（Ａ）に示すようなシート状材料Ｍから製作される。（なお図１は、シート状材料Ｍの上面を示している。）シート状材料Ｍの材質は、濾過機能と熱湯に対する耐熱性とを備えることが必要であり、紙材が代表的であるが、不織布なども使用可能である。シート状材料Ｍの形状・寸法は、使用するドリッパーの形態・大きさに合わせて適宜設定される。
【００２８】
図１（Ａ）のシート状材料Ｍにおいて、その中央領域がコーヒーフィルタの底部１を構成し、その外側領域がコーヒーフィルタの周壁部２を構成する。本例では、シート状材料Ｍの外形を、半円状の２つの湾曲部分ｍ２を直線部分ｍ１，ｍ１で繋いだ如き左右対称な長円形とし、底部１も同様の長円形とした。また、本例におけるシート状材料Ｍの外形寸法は、長手方向の長さ２１５ｍｍ、短手方向の長さ長さ１８０ｍｍであり、底部１の寸法は、長手方向の長さ６５ｍｍ、短手方向の長さ３０ｍｍである。
【００２９】
周壁部２にプリーツを形成するため、シート状材料Ｍの湾曲部分ｍ２において、底部１の周縁から放射状に折り目ｐ，ｑが設けられる。該折り目ｐ，ｑの本数は、左右対称な一方側あたり、山折ｐ７本、谷折りｑ８本である。
【００３０】
本例では、シート状材料Ｍの直線部分ｍ１にはプリーツを形成せず、摘み部３を設けることとした。すなわち、直線部分ｍ１において、適当な間隔を置いて２つの切欠４，４を形成することにより、該切欠４，４の間を摘み部３に設定する。従って、この２つの切欠４，４の間隔及び深さ寸法により、摘み部３の幅寸法及び高さが決められる。本例では、図１（Ｂ）に示す如く、摘み部３の基端部分の幅寸法Ｗ＝２０〜４０ｍｍ、高さ寸法Ｈ＝５〜２０ｍｍとなるように設定することが好ましい。また、切欠４の形状についても、特に限定されるものではない。
【００３１】
なお、上に掲げた各数値はいずれも例示であり、実施条件に合わせて適宜変更されるものである。また、図示の例では、摘み部３を、シート状材料Ｍにおける対称な２箇所に設けてあるが、いずれか１箇所だけとすることも妨げない。
【００３２】
前記シート状材料Ｍをプレス成形することにより、図２，３に示すような、平坦な底部１と、該底部１の周縁から起立しプリーツ５を有する周壁部２とから成るコーヒーフィルタＦが製作される。すなわち、底部１を固定し、その周囲を、折り目ｐ，ｑで折り曲げながら立ち上げることにより、プリーツ５を有する周壁部２が設けられる。そして、この周壁部２の上縁部２ａにおけるプリーツ５の無い領域に、切欠４，４で挟まれた摘み部３が設けられている。
【００３３】
本例のコーヒーフィルタＦは、長円形のシート状材料Ｍを用い、底部１も長円形としたので、図２に示すように、平面形状が概略長円形であり、正面形状は概略台形である。なお、プレス成形により、シート状材料Ｍからカップ状のコーヒーフィルタを製作する手法には、従来公知の技術を使用することができる。
【００３４】
ところで、コーヒーフィルタＦを製作する際、複数枚のシート状材料Ｍを重ねた状態でプレス成形し、同時に多数の製品を得るという手法が、一般に採用されている。こうして製作されるコーヒーフィルタＦは、図４に示す如く、多数を密接させて積層した状態のコーヒーフィルタ集合体ＦＸとして提供される。積層状態とすることにより、多数のコーヒーフィルタＦを効率よく保管・搬送できるという利点が得られる。しかるに、積層状態のコーヒーフィルタ集合体ＦＸから１個だけを取り出すのは、フィルタどうしが互いに密接しているため、従来、困難な場合があった。
【００３５】
そこで本考案では、周壁部２の上縁部に２箇所の切欠４，４を形成し、その間を摘み部３とすることにより、積層状態のコーヒーフィルタ集合体ＦＸから１個だけ取り出す作業を非常に簡単にした。すなわち、図５に示すように、コーヒーフィルタ集合体ＦＸの最上位のコーヒーフィルタＦ１における摘み部３に対し、使用者が指先などで、内側方向への力を与える。すると当該摘み部３（ａ）は、両側が切欠４，４であり変形が容易であるため、図示の如く、隣接するコーヒーフィルタＦ２の摘み部３（ｂ）から剥離して、内側へ撓む。従って、使用者は、この撓んだ摘み部３（ａ）を掴んで引き剥がすことにより、１個のコーヒーフィルタＦ１だけを集合体ＦＸから容易に取り出すことができる。
【００３６】
なお本例では、周壁部２における直線状の領域に摘み部３を設けるから、摘み部３の幅寸法を広く設定することが可能であり、それ故、掴み易さが向上すると共に、引っ張り強度の確保が容易である。
【００３７】
［第２の実施形態］
本考案に係るコーヒーフィルタＦにおいて、摘み部３を設ける位置は、図６に示すように、シート状材料Ｍの湾曲部分ｍ２とすることも可能である。但し、湾曲部分ｍ２は、プリーツ５が設けられる領域である。そこで本例では、当該湾曲部分ｍ２の一部に、折り目の無い部位を設定し、当該部位に適宜間隔を置いた２つの切欠４，４を形成することにより、摘み部３を設けた。
【００３８】
［第３の実施形態］
本考案の適用対象とするコーヒーフィルタＦは、図７に示す如く、周壁部２にプリーツを持たないものであってもよい。また同図に示す如く、平面形状が円形のものであってもよい。このように、本考案の適用対象となるコーヒーフィルタの形態は、特に限定されるものではない。
【符号の説明】
【００３９】
１…底部    ２…周壁部    ２ａ…上縁部    ３…摘み部    ４…切欠    ５…プリーツ
Ｆ…コーヒーフィルタ    Ｍ…シート状材料    ｍ１…直線部分    ｍ２…湾曲部分
ｐ…折り目（山折り）  ｑ…折り目（谷折り）
【図１】
0003172889.tif 000003
【図２】
0003172889.tif 000004
【図３】
0003172889.tif 000005
【図４】
0003172889.tif 000006
【図５】
0003172889.tif 000007
【図６】
0003172889.tif 000008
【図７】
0003172889.tif 000009